(57)【要約】【課題】バルーン型照明装置において、照明機能を低減させること無く効果的な情報発信機能を付与する。【解決手段】バルーン外皮１０Ａを有するバルーン１０と、バルーン１０を膨らませる送風機１２と、光源とを備え、光源からバルーン外皮１０Ａを介して外部に出射される光で周囲を照明するバルーン型照明装置１において、光源の一つとしてバルーン外皮１０Ａの内面に投射光Ｌを照射するプロジェクタ２を備え、プロジェクタ２は外部からの信号で駆動し、バルーン外皮１０Ａが透過型スクリーンとして機能する。【選択図】図１
2015130274.tif 000002
【特許請求の範囲】
【請求項１】
バルーン外皮を有するバルーンと、前記バルーンを膨らませる送風機と、光源とを備え、前記光源から前記バルーン外皮を介して外部に出射される光で周囲を照明するバルーン型照明装置において、
前記光源の一つとして前記バルーン外皮の内面に投射光を照射するプロジェクタを備え、
前記プロジェクタは外部からの信号で駆動し、前記バルーン外皮が透過型スクリーンとして機能することを特徴とするバルーン型照明装置。
【請求項２】
前記光源は、前記プロジェクタとは別に前記バルーンの内部に照明専用光源を備え、前記照明専用光源を点灯させる電源制御回路を前記バルーンの内部又は下部外側に備えることを特徴とする請求項１記載のバルーン型照明装置。
【請求項３】
前記プロジェクタは前記バルーンの内部に配置されることを特徴とする請求項１又は２記載のバルーン型照明装置。
【請求項４】
前記プロジェクタは前記バルーンの外部に配置され、前記投射光は前記バルーンの透明部分を透過して前記バルーン外皮の内面に照射されることを特徴とする請求項１又は２記載のバルーン型照明装置。
【請求項５】
前記プロジェクタは、外部から送信された映像信号又は内部に保存した映像信号に基づく映像を前記バルーン外皮の内面に投影し、
前記映像信号は、投射光が照射される前記バルーン外皮の内面形状に応じて補正された信号であることを特徴とする請求項１〜４のいずれか１項に記載のバルーン型照明装置。
【請求項６】
表示情報を無線で受信する無線受信部を備え、前記無線受信部が受信した表示情報によって前記映像信号が形成されることを特徴とする請求項５に記載のバルーン型照明装置。
【請求項７】
前記プロジェクタ内の投影光源が白色ＬＥＤであることを特徴とする請求項１〜６のいずれか１項に記載のバルーン型照明装置。
【請求項８】
前記バルーン外皮が防水性を有することを特徴とする請求項１〜７のいずれか１項に記載のバルーン型照明装置。
【請求項９】
請求項１〜８のいずれか１項に記載のバルーン型照明装置を支柱上に設置したバルーン型投光機。
【発明の詳細な説明】
【技術分野】
【０００１】
本発明は、バルーン型照明装置及びバルーン型投光機に関するものである。
【背景技術】
【０００２】
バルーン型照明装置は、無指向性の広い照明範囲が得られること、高い防眩効果が得られることなどの優位性から、工事現場などの屋外照明に用いられる投光機としてだけでなく、屋内外を問わない各種用途の照明装置として需要が高まっている。
【０００３】
従来のバルーン型照明装置或いはバルーン型投光機は、空気圧によって膨らませることができるバルーンを備えており、その内部に光源とバルーンを膨らませるための送風機が配備されている。バルーン型照明装置や投光機の光源としては、一般にＨＩＤランプなどの放電ランプが用いられ、発電機や商用電源から供給される電力が安定器を介して放電ランプに供給されている。
【０００４】
また、バルーン型照明装置やバルーン型投光機は、バルーンを膨らませた状態の胴部外周に「工事中」や「注意」などの文字を印刷などにより表示することで、通行車両の運転手に注意を促すものが提案されている（下記特許文献１参照）。
【先行技術文献】
【特許文献】
【０００５】
【特許文献１】特開２００３−３６７０９号公報
【発明の概要】
【発明が解決しようとする課題】
【０００６】
前述したようにバルーン型照明装置は各種の用途への需要が高まっている。特に、広い照明範囲が得られることで緊急時の避難場所やイベント会場などでの照明に適しており、多くの人が集まる場所でより効果的な用途が期待されている。多くの人が集まる場所にバルーン型照明装置を設置すると、光を放つバルーン型照明装置は多くの人から注目される存在になる。そのため、このバルーン型照明装置から様々な情報を発信すると多くの人に素早く情報を伝達することが可能になる。しかしながら、従来技術のようにバルーンの胴部に文字や絵柄を付与するだけでは、効果的な情報発信を行うことができない問題があり、また、文字や絵柄によってバルーンから発せられる光が遮断されてしまうので、本来備えている高い照明機能を低減させてしまう問題もあった。
【０００７】
本発明は、このような問題に対処することを課題の一例とするものである。バルーン型照明装置やバルーン型投光機において、照明機能を低減させること無く効果的な情報発信機能を付与することができること、などが本発明の目的である。
【課題を解決するための手段】
【０００８】
このような目的を達成するために、本発明は、明細書に記載された幾つかの発明のうち以下の構成を具備するものである。
バルーン外皮を有するバルーンと、前記バルーンを膨らませる送風機と、光源とを備え、前記光源から前記バルーン外皮を介して外部に出射される光で周囲を照明するバルーン型照明装置において、前記光源の一つとして前記バルーン外皮の内面に投射光を照射するプロジェクタを備え、前記プロジェクタは外部からの信号で駆動し、前記バルーン外皮が透過型スクリーンとして機能することを特徴とするバルーン型照明装置。
【発明の効果】
【０００９】
このような特徴を有する本発明は、バルーン型照明装置やこのバルーン型照明装置を備えるバルーン型投光機において、照明機能を低減させること無く効果的な情報発信機能を付与することができる。すなわち、本発明では、プロジェクタの映像をバルーンの内側からバルーン外皮の内面に投射することで、透過型スクリーンとして機能するバルーン外皮に多くの情報を表示することができる。これによって多くの情報を自在に伝達できる機能を有するバルーン型照明装置或いはバルーン型投光機を提供することができる。
【００１０】
本発明のバルーン型照明装置或いはバルーン型投光機をイベント会場や緊急時の避難場所などに設置すると、多くの人が注目するバルーン型照明装置或いはバルーン型投光機に各種の情報が表示されるので、効果的に情報伝達機能を発揮することができる。
【図面の簡単な説明】
【００１１】
【図１】本発明の一実施形態を示したバルーン型照明装置を示した説明図である。
【図２】本発明の実施形態に係るバルーン型照明装置の他の形態例を示した説明図である。
【図３】本発明の実施形態に係るバルーン型照明装置の他の形態例を示した説明図である。
【図４】本発明の実施形態に係るバルーン型照明装置の他の形態例を示した説明図である。
【図５】本発明の実施形態に係るバルーン型照明装置における情報信号の伝達経路の一例を示した模式図である。
【図６】（ａ），（ｂ）は、本発明の実施形態に係るバルーン型照明装置を備えた投光機（バルーン型投光機）を示した説明図である。
【発明を実施するための形態】
【００１２】
本発明の実施形態に係るバルーン型照明装置は、バルーン外皮を有するバルーンと、バルーンを膨らませる送風機と、光源とを備え、光源からバルーン外皮を介して外部に出射される光で周囲を照明するものであり、光源の一つとしてバルーン外皮の内面に投射光を照射するプロジェクタを備えている。プロジェクタは、バルーンの内部又は外部に１台又は複数台設置されており、これを外部からの信号で駆動して、映像をバルーン外皮の内面に投影し、バルーン外皮を透過型スクリーンとして機能させている。
【００１３】
このような特徴を有する本発明の実施形態に係るバルーン型照明装置は、多くの人々がバルーンの外側から映像を見ることができ、効果的な情報伝達機能を有するバルーン型照明装置を提供することができる。
【００１４】
従来のバルーン型照明装置はバルーン外皮その物或いはバルーンの外側に文字や画像を書いたシートを張り付けることで、簡単な情報表示ができる機能を持っており、例えば、工事現場では工事の種類や車の誘導の表示、非常時の使用においては救護所の所在、避難所の所在などを明示することができるようになっていた。これに対して近年、バルーン型照明装置は、特にイベント会場、非常時の避難所などで使われることが多くなってきており、非常時の避難所などの使用においては、避難をしている人々に多彩な情報を伝達する機能や娯楽を提供する機能が求められている。
【００１５】
本発明の実施形態に係るバルーン型照明装置は、バルーン外皮をプロジェクタの透過型スクリーンとして機能させることで、情報伝達機能をバルーン型照明装置に持たせたものであり、イベント会場や非常時の避難場所などで使用することで、多くの人々に多彩な情報を伝達することができると共に、映像による娯楽を提供することができる。特に、プロジェクタはスピーカーを内蔵したものを設置することで、テレビジョン放送などを、そのまま楽しむこともできる。また、非常に目立つバルーン型照明装置に情報伝達機能を付与することで、多くの人々に効果的に情報を伝達することが可能になる。
【００１６】
本発明の一実施形態としては、比較的投射距離の短いプロジェクタをバルーン内に少なくとも１台設置し、バルーン外皮内面に映像を投射するものであるが、プロジェクタの台数を複数台（例えば２から４台）設置することで、バルーン外側のどの位置からも映像を見ることができるようになり、より多くの人に情報を伝達することが可能になる。また、プロジェクタの台数を複数台設置することで、様々な情報を同時に表示して多彩な情報伝達を行うことが可能になる。
【００１７】
プロジェクタは基本的には平面スクリーンに画像を投射した反射画像を見るようになっているため、平面スクリーンの反射画像で、画像の歪が無く、画面全体の明るさが均一になるように設計されている。これをバルーンの内側にそのまま投射してバルーンの外側から見ると、画像は左右反転し、歪みを持ち、明るさも不均一な投射画像になってしまう。これを補正するために、プロジェクタに送る映像信号にはバルーン外皮の内面形状に応じた補正がなされると共に、透過型スクリーンに投影するための補正がなされている。
【００１８】
プロジェクタの投影光源には色再現を良くするために、可視光の波長分布が比較的均一なハロゲンランプを使用していることが多いが、非常時の使用を考えた場合、消費電力をできるだけ少なくすることが望ましい。このため、本発明の実施形態に係るバルーン型照明装置では、プロジェクタ内の投影光源としてハロゲンランプの代りに白色ＬＥＤを用いても良い。白色ＬＥＤを用いることで、ハロゲンランプを用いる場合と比較してプロジェクタからの投射画像の色再現性は低下するが、消費電力を大幅に少なくすることができる。消費電力の抑制は、非常時においては重要な要素であり、例えば１台の発電機で使用できるバルーン型照明装置や投光機の数を増やすことができる。
【００１９】
また、本発明の実施形態に係るバルーン型照明装置は、バルーン外皮が防水性を有するので、雨天時の屋外においても情報伝達機能を発揮することができる。これにより、例えば非常時の避難場所の屋外でも、照明のみでなく、多くの人々に情報を伝達することができる。
【００２０】
以下、図面を参照して本発明の実施形態を説明する。以下の各図において共通する部位には同一符号を付して重複説明を省略する。図１は、本発明の一実施形態を示したバルーン型照明装置を示した説明図である。図１に示したバルーン型照明装置１は、バルーン１０の内側下端近傍に設置され照明と情報伝達機能を兼ねたプロジェクタ２を備えている。ここでは、バルーン型照明装置１の光源がプロジェクタ２によって構成されており、プロジェクタ２からの投射光Ｌは、点線で示したようにプロジェクタ２の投影部からバルーン外皮１０Ａの内面に照射され、バルーン外皮１０Ａを介して外部に出射することで周囲を照明している。
【００２１】
バルーン１０の下端部にはコントロールボックス１１が設置されている。バルーン外皮１０Ａを膨らますためと、プロジェクタ２から排出されるランプを冷却した温風をバルーン１０外へ排出するための送風機１２、この送風機１２用の電源回路などがコントロールボックス１１に収納されている。また、電源コネクタ１３から入力された電源を各プロジェクタ２に分配するための配線、及び映像信号コネクタ１４から入力された映像信号を各プロジェクタ２に送るための配線などがこのコントロールボックス１１に収納されている。
【００２２】
バルーン外皮１０Ａは支柱１５上端部に取り付けたトップシート１６、及びバルーン１０下端部のボトムシート１７にファスナーなどの取り付け手段で固定されており、コントロールボックス１１内に設置された送風機１２を駆動させて膨らますことができるようになっている。
【００２３】
また、バルーン１０上端外部には、バルーン型照明装置１の非使用時にバルーン外皮１０Ａを破損・汚れなどから保護するためのバルーンカバー１８が畳んで取り付けられており、バルーン外皮１０Ａを畳んでバルーンカバー１８を展開した中に収納できるようになっている。
【００２４】
このようなバルーン型照明装置１は、プロジェクタ２からの投射光Ｌがバルーン外皮１０Ａを介して外部に照射されることで周囲を照明することができる。更に、バルーン外皮１０Ａが透過型スクリーンとして機能して様々な情報をバルーン外皮１０Ａに表示することができる。
【００２５】
図２は、本発明の実施形態に係るバルーン型照明装置の他の形態例を示している。図２に示したバルーン型照明装置１Ａは、図１に示した例と同様に、バルーン１０の内側下端近傍に設置され照明と情報伝達機能を兼ねたプロジェクタ２を備えている。更に、プロジェクタ２とは別にバルーン１０の内部に照明専用光源２０を備えている。この照明専用光源２０はバルーン１０の中央部に設けている。この例では、プロジェクタ２と照明専用光源２０がバルーン型照明装置１Ａの光源であり、照明専用光源２０を点灯することにより、より明るい照明が可能になっている。
【００２６】
図２に示したバルーン型照明装置１Ａは、送風機１２がバルーン１０の上端側に設置されている。この送風機１２は、バルーン外皮１０Ａを膨らますため、照明専用光源２０を点灯させるための電源部及び照明専用光源２０を冷却するため、プロジェクタ２のランプを冷却した温風を排出するために用いられる。
【００２７】
図２に示したバルーン型照明装置１Ａのコントロールボックス１１Ａは、図１で示したコントロールボックス１１から、送風機１２を取り除き、照明専用光源２０を点灯させるための電源制御回路（図示していない）を設置したものである。送風機１２が作動すると、引き込まれた外気はコントロールボックス１１Ａ内を流れて照明専用光源２０を点灯させるための電源制御回路を冷却し、気道を兼ねた支柱１５の内側空間を流れて照明専用光源２０を冷却し、更にバルーン１０内に吹き出されてバルーン外皮１０Ａを膨らます。照明専用光源２０は、高輝度放電ランプを用いても良いが発熱が大きいため、内部に設置されたプロジェクタ２の保護の為にもＬＥＤを用いる方が望ましい。
【００２８】
図２に示したバルーン型照明装置１Ａを用いた投光機を照明として用いる場合には、照明専用光源２０を点灯することで、広範囲を明るく照らすことが可能となり、情報伝達用として用いる場合は、照明専用光源２０を消灯しプロジェクタ２を駆動させればよい。
【００２９】
図３は、本発明の実施形態に係るバルーン型照明装置の他の形態例を示している。図３に示したバルーン型照明装置１Ｂは、バルーン１０の直径よりバルーン１０の高さの方が大きい形態になっており、この例では内部の縦方向の空間が広いため、後述する無線受信部，TVチューナー，信号変換回路，映像信号補正部（ＰＣ）など、プロジェクタ２を駆動させるために必要な機能を全てバルーン１０内部のコントロールボックス１１Ｂ内に設置することができる。図３に示した例でも、照明専用光源２０の上に送風機１２が設置されており、送風機１２によってバルーン１０の下端部から引き込まれた空気は、コントロールボックス１１Ｂの中を通過し、内部を冷却した後に、気道を兼ねた支柱１５の内側空間を流れ、照明専用光源２０を冷却し、バルーン１０内に吹き出してバルーン１０を膨らませる。このような形態のバルーン型照明装置１Ｂは、非使用時には全体を縦長の細い円柱状に収納できるため、保管スペースが少なくて済む。
【００３０】
図４は、本発明の実施形態に係るバルーン型照明装置の他の形態例を示している。図４に示したバルーン型照明装置１Ｃは、プロジェクタ２をバルーン１０の下部外側に置き、バルーン１０の下端部に透明部分１０Ｂを設け、バルーン１０の外部に設置されたプロジェクタ２からの映像を透明部分１０Ｂを介して透過させ、バルーン外皮１０Ａの内面に投影できるようにしたものである。この場合、前述したバルーン型照明装置１，１Ａ，１Ｂと比べてプロジェクタ２の投射部からバルーン外皮１０Ａの内面（投影面）までの距離を長くすることができ、映像の明るさ、及び鮮明性のムラを小さくすることができる。図示の例では、照明専用光源２０を点灯するための電源制御回路を備えたコントロールボックス１１Ｃがバルーン１０内に設置され、プロジェクタ２を駆動するためのコントロールボックス１１Ｄがバルーン１０の外に設置されている。
【００３１】
前述したバルーン型照明装置１（１Ａ，１Ｂ）は、本来、バルーン外皮１０Ａが防水性を有しているので、バルーン１０内にプロジェクタ２を設置することで、雨天時の屋外使用が可能になる。また、図４に示したバルーン型照明装置１Ｃは、プロジェクタ２がバルーン１０の外に配置されることになるが、防水性の保護シート部材１９で、プロジェクタ２を囲ってしまえば、プロジェクタ２を雨水から保護することが可能となり、雨天時の屋外でも使用することが可能となる。
【００３２】
図５は、本発明の実施形態に係るバルーン型照明装置における情報信号の伝達経路の一例を示した模式図である。プロジェクタ２は、外部から送信された映像信号又は内部に保存した映像信号に基づく映像をバルーン外皮１０Ａの内面に投影する。プロジェクタ２には、映像信号補正部３０によって補正された映像信号が送られる。映像信号補正部３０では、映像信号がバルーン外皮１０Ａの内面形状に応じて補正される。映像信号補正部３０は、映像補正ソフトが組み込まれたパーソナルコンピュータ（ＰＣ）などで構成することができ、このコンピュータは、バルーン１０の内部に設けても外部に設けても良い。
【００３３】
プロジェクタ２が表示する表示情報の情報源は、タブレット端末又はスマートフォンなど、通信機能を有する情報端末機器４０で作成した文章又は画像などを用いることができる。バルーン型照明装置１（１Ａ，１Ｂ，１Ｃ）は、情報端末機器４０から送信される表示情報を無線で受信する無線受信部３１を備えており、無線受信部３１が受信した表示情報によって映像信号が形成される。
【００３４】
すなわち、無線受信部３１で受信したもの或いはＴＶチューナー３２で受信したＴＶ放送信号などの受信映像信号は、信号変換回路３３で処理してプロジェクタ２を駆動できる映像信号に変換されて、映像信号補正部（ＰＣ）３０に送られ、ここで映像補正された信号がプロジェクタ２に送られる。前述したように、無線受信部３１、ＴＶチューナー３２、信号変換回路３３、映像信号補正部３０を構成するコンピュータのすべて、又は一部は、バルーン１０内のコントロールボックス１１（１１Ａ，１１Ｂ，１１Ｃ）に設置することができる。
【００３５】
図５に示した例では、４台のプロジェクタ２（（１）〜（４））を１台のコンピュータで駆動しており、同じ映像を４台のプロジェクタ２に同時に投射することも、それぞれ別の映像を４台のプロジェクタで投射することも可能である。従って、４画面とも同じ映像を投射することでバルーンの周囲全方向の多くの人に同時に情報を伝達することが可能であり、また複数のプロジェクタ２で横長の一つの映像を投影することも可能で、変化に富んだ映像を投影することができる。
【００３６】
図６（ａ），（ｂ）は、前述した本発明の実施形態に係るバルーン型照明装置を備えた投光機（バルーン型投光機）を示した説明図である。図６（ａ）に示した投光機１００は、台車１０１に取り付けられた伸縮支柱１０３の上にバルーン型照明装置１（１Ａ，１Ｂ，１Ｃ）が設置されている。図示の例では、台車１０１には発電機や二次電池などの電源装置１０２が搭載されている。図６（ｂ）に示した投光機１００Ａは、三脚１０４に取り付けた伸縮支柱１０３Ａ上にバルーン型照明装置１（１Ａ，１Ｂ，１Ｃ）が設置されている。
【００３７】
以上、本発明の実施の形態について図面を参照して詳述してきたが、具体的な構成はこれらの実施の形態に限られるものではなく、本発明の要旨を逸脱しない範囲の設計の変更などがあっても本発明に含まれる。また、上述の各実施の形態は、その目的及び構成などに特に矛盾や問題がない限り、互いの技術を流用して組み合わせることが可能である。
【符号の説明】
【００３８】
１，１Ａ，１Ｂ，１Ｃ：バルーン型照明装置，２：プロジェクタ，
１０：バルーン，１０Ａ：バルーン外皮，１０Ｂ：透明部分，
１１（１１Ａ，１１Ｂ，１１Ｃ，１１Ｄ）：コントロールボックス，
１２：送風機，１３：電源コネクタ，１４：映像信号コネクタ，
１５：支柱，１６：トップシート，１７：ボトムシート，
１８：バルーンカバー，１９：保護シート部材，
２０：照明専用光源，３０：映像信号補正部（ＰＣ），
３１：無線受信部，３２：ＴＶチューナー，３３：信号変換回路，
４０：情報端末機器，１００，１００Ａ：投光機（バルーン型投光機）
【図１】
2015130274.tif 000003
【図２】
2015130274.tif 000004
【図３】
2015130274.tif 000005
【図４】
2015130274.tif 000006
【図５】
2015130274.tif 000007
【図６】
2015130274.tif 000008